(57)【要約】【課題】電源供給を行なうホスト側の必要に応じて接続された他機器への電力供給を開閉するので、例えば、ホスト側が省電力モードに遷移した後、該他機器によって無駄な電力消費が生じることを未然に防止できる電気機器及び画像形成装置を提供する。【解決手段】他機器と接続を行なうＵＳＢコネクタ８０を備え、ＵＳＢコネクタ８０を用いて前記他機器とデータを送受信するにおいて、ＵＳＢコネクタ８０を介して前記他機器に電力供給を行なう電源Ｖと、ＵＳＢコネクタ８０との間に、前記電力供給を開閉するＦＥＴ６を備える。【選択図】図２
2013239025.tif 000002
【特許請求の範囲】
【請求項１】
他機器と接続を行なうコネクタを備え、該コネクタを用いて前記他機器とデータを送受信する電気機器において、
前記コネクタを介して前記他機器に電力供給を行なう電源と、
前記コネクタ及び電源との間に介在しており、前記電力供給を開閉するスイッチ部とを備えることを特徴とする電気機器。
【請求項２】
消費電力の制限が行なわれる省電力状態及び該制限のない通常状態の動作状態を有しており、
該動作状態に応じて、前記スイッチ部に開又は閉の指示を行なう指示部を備えることを特徴とする請求項１に記載の電気機器。
【請求項３】
前記スイッチ部は、電界効果トランジスタを有することを特徴とする請求項１又は２に記載の電気機器。
【請求項４】
請求項１から３の何れか一つに記載の電気機器と、
前記コネクタを介して他機器から受信したデータに基づいて画像形成を行なう画像形成手段とを備えることを特徴とする画像形成装置。
【発明の詳細な説明】
【技術分野】
【０００１】
本発明は、他機器と接続を行なうコネクタを備え、該コネクタを用いて前記他機器とデータを送受信する電気機器及び画像形成装置に関する。
【背景技術】
【０００２】
近年、電気機器の多くは、ユーザが必要に応じて他機器を付加的に接続して使用できるように構成されている。
【０００３】
例えば、特許文献１においては、電源部と、ＵＳＢペリフェラルデバイスとして機能させるためのＵＳＢコントローラとを備えた電子機器であって、前記ＵＳＢコントローラは、前記電源部からの電源供給は受けずに、ＵＳＢホストと接続した際に、ＵＳＢホストからのＶＢＵＳ信号を動作電圧として動作する電子機器が開示されている。
【０００４】
また、特許文献２においては、外部装置からデータ信号とアクティブ状態を示す信号とを入力する通信コネクタと、電源を供給され、前記外部装置とのデータ通信を制御する通信コントローラとを備えた電子機器であって、前記アクティブ状態を示す信号に応じて、前記通信コントローラへの電源供給を停止するスイッチ手段を備える電子機器が開示されている。
【先行技術文献】
【特許文献】
【０００５】
【特許文献１】特開２００７−０９４６５９号公報
【特許文献２】特開２００７−０３４８０３号公報
【発明の概要】
【発明が解決しようとする課題】
【０００６】
一方、上述したように、ＵＳＢで接続される機器の多くは、その電源をＵＳＢインタフェースを介してホスト側から供給を受けて動作する。そのため、ソフト的にホスト側から接続を解除しても、ハード的に接続している限り、一定の電力を消費してしまう。ここで、ＵＳＢで動作する機器の中には、いわゆる省電力モードを有するものも存在しているが、ハード的にはホスト側の電源と接続されたままであり、消費電力を完全に“０”にすることはできない。
【０００７】
すなわち、ＵＳＢインタフェースを用いて「省エネモード」へ移行させるということは、通常モードへの復帰時もＵＳＢインタフェースを用いて行う必要があり、少なくとも斯かる制御を行う回路部分には電力供給を続けることが必要であり、たとえホスト側が省電力モードに遷移した後においても、斯かる回路部分では無駄な電力消費が生じている。しかしなから、このような問題に対して、特許文献１の電子機器は対応できない。
【０００８】
本発明は、斯かる事情に鑑みてなされたものであり、その目的とするところは、他機器と接続を行なうコネクタを備え、該コネクタを用いて前記他機器とデータを送受信するにおいて、前記コネクタを介して前記他機器に電力供給を行なう電源と、前記コネクタとの間に、前記電力供給を開閉するスイッチ部を備えることにより、電源供給を行なうホスト側の必要に応じて当該他機器への電力供給を開閉できるので、例えば、ホスト側が省電力モードに遷移した後、上述したように無駄な電力消費が生じることを未然に防止できる電気機器及び画像形成装置を提供することにある。
【課題を解決するための手段】
【０００９】
本発明に係る電気機器は、他機器と接続を行なうコネクタを備え、該コネクタを用いて前記他機器とデータを送受信する電気機器において、前記コネクタを介して前記他機器に電力供給を行なう電源と、前記コネクタ及び電源との間に介在しており、前記電力供給を開閉するスイッチ部とを備えることを特徴とする。
【００１０】
本発明にあっては、前記コネクタ及び電源との間に介在する前記スイッチ部が所定条件の下、前記コネクタを介した前記他機器への電力供給を開閉する。
【００１１】
本発明に係る電気機器は、消費電力の制限が行なわれる省電力状態及び該制限のない通常状態の動作状態を有しており、該動作状態に応じて、前記スイッチ部に開又は閉の指示を行なう指示部を備えることを特徴とする。
【００１２】
本発明にあっては、現の動作状態が省電力状態であるか通常状態であるかに応じて、前記指示部が前記スイッチ部に前記他機器への電力供給を開ける旨又は閉じる旨の指示を行い、該指示に応じてスイッチ部が前記他機器への電力供給を開閉する。
【００１３】
本発明に係る電気機器は、前記スイッチ部は、電界効果トランジスタを有することを特徴とする。
【００１４】
本発明にあっては、前記スイッチ部が、電界効果トランジスタを用いて、前記他機器への電力供給を開閉する。
【００１５】
本発明に係る画像形成装置は、前述の発明の何れか一つに記載の電気機器と、前記コネクタを介して他機器から受信したデータに基づいて画像形成を行なう画像形成手段とを備えることを特徴とする。
【００１６】
本発明にあっては、前記画像形成手段は、前記コネクタを介して他機器から受信したデータに基づく画像を、シート状の記録媒体に画像形成する。
【発明の効果】
【００１７】
本発明によれば、電源供給を行なう電気機器の必要に応じて当該他機器への電力供給を開閉できるので、該他機器が省エネルギー機能を有しているか否かに関わることなく、前記電気機器が省電力モードに遷移した後、前記他機器によって無駄な電力消費が生じることを未然に防止して、省エネルギー効果を高めることができる。
【図面の簡単な説明】
【００１８】
【図１】本発明の実施の形態に係る複合機の要部構成を示す機能ブロック図である。
【図２】本発明の実施の形態における、制御部とＵＳＢコネクタとの構成を説明する概略的回路図である。
【図３】本発明の実施の形態に係る複合機において、省電力モードに遷移するときに行なわれるＦＥＴの制御を説明するフローチャートである。
【図４】本発明の実施の形態に係る複合機において、通常モードに復帰するときに行なわれるＦＥＴの制御を説明するフローチャートである。
【発明を実施するための形態】
【００１９】
以下に、本発明の実施の形態に係る電気機器及び画像形成装置を、いわゆる省エネルギー機能を有する複合機に適用した場合を例として、図面に基づいて詳述する。
【００２０】
本発明の実施の形態の複合機は、省電力モード（省電力状態）と、待機モード（通常状態）との動作モードを有している。省電力モードでは、複合機の一部への給電を制限して該複合機全体における、消費電力を減らす。また、待機モードでは給電が制限されていた部分に給電が行われ、ユーザからの指示を受け付け、何れのジョブが即時に実行可能である。
【００２１】
図１は、本発明の実施の形態に係る複合機１００の要部構成を示す機能ブロック図である。複合機１００は、カラーコピージョブ、カラースキャナジョブ等を実行できるデジタル複合機である。複合機１００は、原稿から画像を光学的に読み取る画像入力部２０を備えており、画像入力部２０には、読み取った画像に応じた画像データを生成する画像処理部３０が接続されている。画像処理部３０には、画像処理部３０が生成した画像データに基づいて画像を出力する画像出力部４０、及び画像処理部３０が生成した画像データを外部へ送信し、また外部から画像データを受信する送受信部５０が接続されている。
【００２２】
また、画像入力部２０、画像処理部３０、画像出力部４０及び送受信部５０には、使用者からの操作を受け付ける操作パネル６０が接続されている。これらハードウェアは制御部１０によって制御されるように構成されている。
【００２３】
次に、複合機１００の各部の構成を説明する。操作パネル６０は、複合機１００の動作モードを設定するための指示を受け付ける節電キー、複合機１００のジョブを制御するための指示をユーザの操作により受け付けるタッチパネル、テンキー等を有する操作部６１と、操作に必要な情報を表示する液晶ディスプレイ等の表示部６２とを含んで構成されている。表示部６２は、例えば、ＬＣＤ又はＥＬ（Electroluminescence）パネル等からなる。
【００２４】
画像入力部２０は、ＣＣＤ（Charge Coupled Device ）等の光センサを備えたカラースキャナを用いて構成されており、紙等の記録媒体に画像が記録された原稿からの反射光像をＲＧＢ（Ｒ：赤，Ｇ：緑，Ｂ：青）の各色に分解して光センサで読み取り、ＲＧＢのアナログ信号に変換して画像処理部３０へ出力する。
【００２５】
画像処理部３０は、画像入力部２０から入力されたＲＧＢのアナログ信号に対して画像処理を行うことにより、ＲＧＢのデジタル信号（以下、ＲＧＢ信号という）からなる画像データを生成する。また画像処理部３０は、該ＲＧＢ信号に対して更に画像処理を実行することにより、ＣＭＹＫ（Ｃ：シアン，Ｍ：マゼンタ，Ｙ：イエロー，Ｋ：ブラック）のデジタル信号からなる画像データを生成し、ストリームとして画像出力部４０へ出力する。なお、画像処理部３０は、画像データを画像出力部４０へ出力する前に、記憶部７０に該画像データを一旦記憶する構成であってもよい。
【００２６】
画像出力部４０は、画像処理部３０から入力された画像データに基づいて、熱転写、電子写真、又はインクジェット等の方式により紙等の記録媒体上に画像を形成することによって画像を出力する。
【００２７】
送受信部５０は、ネットワークカード又はモデム等を用いて構成されており、図示しない公衆回線網、ＬＡＮ（Local Area Network）又はインターネット等の通信ネットワークに接続可能であり、ファクシミリ又は電子メール等の通信方法により通信ネットワークを介して外部とデータを送受信する。
【００２８】
記憶部７０は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００２９】
更に、複合機１００はＵＳＢコネクタ８０を備えており、ＵＳＢコネクタ８０を介して外部装置（いわゆる、ＵＳＢデバイス）との接続を行なう。
【００３０】
図２は本発明の実施の形態における、制御部１０とＵＳＢコネクタ８０との構成を説明する概略的回路図である。
【００３１】
ＵＳＢコネクタ８０はＵＳＢデバイス（例えば、フラッシュメモリ）との接続を行なう４つのコネクタピン８１〜８４を有している。コネクタピン８１は、いわゆるＶＢＵＳピンとして知られており、電源ＶからＤＣ５Ｖが供給される信号線（以下、ＶＢＵＳ線という。）に接続されている。コネクタピン８２及びコネクタピン８３は、いわゆるＤ＋ピン及びＤ−ピンとして知られており、接続されたＵＳＢデバイス（以下、接続ＵＳＢデバイスという。）とのデータの送受信に用いられる。コネクタピン８４はいわゆるＧＮＤピンとして知られており、ＧＮＤに接続している。ＵＳＢコネクタ８０は、Ａ型又はＢ型のＵＳＢメスコネクタであってもよく、ミニＢ型のメスＵＳＢコネクタであってもよい。
【００３２】
一方、制御部１０は複合機１００で実行される各種の処理において、上述した各ハードウェアを制御する。制御部１０は、ＣＰＵ１（Central Processing Unit）と、ＲＯＭ２と、ＲＡＭ３とを備えている。
【００３３】
ＲＯＭ２には各種の制御プログラム、演算用のパラメータのうちの基本的に固定のデータ等が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ、該実行の際適宜変化するパラメータ等を記憶する。
【００３４】
ＣＰＵ１は、ＲＯＭ２に予め格納されている制御プログラムをＲＡＭ３上にロードして実行することによって、上述した各種ハードウェアの制御を行ない、装置全体を本発明の複合機１００として動作させる。
【００３５】
また、ＣＰＵ１は、例えば、後述するＵＳＢインタフェース４２を介して、当該接続ＵＳＢデバイスにデータを書き込み、当該接続ＵＳＢデバイスの所定領域にアクセスし、当該領域に格納されているデータを読み出す。更に、ＣＰＵ１は、自機の動作モードに基づいて、当該接続ＵＳＢデバイスへの電源供給を制御する。
【００３６】
制御部１０は、チップセット４と、デジタルトランジスタ５と、ＦＥＴ（電界効果トランジスタ）６を更に備えている。
【００３７】
チップセット４は制御部１０内の信号の流通を制御し、例えば、通称サウスブリッジからなる。チップセット４は、デジタルトランジスタ５に信号が出力されるＧＰＩＯ（汎用入出力端子）４１とＵＳＢインタフェース４２とを有している。
【００３８】
チップセット４は、ＣＰＵ１からの指示に応じて、ＧＰＩＯ４１を介して、デジタルトランジスタ５に「ＶＢＵＳ＿ＯＮ＿Ｎ」信号を出力する。該「ＶＢＵＳ＿ＯＮ＿Ｎ」信号に応じてデジタルトランジスタ５がオンオフとなる。
【００３９】
デジタルトランジスタ５は、ＧＰＩＯ４１とＦＥＴ６との間に介在している。より詳しくは、デジタルトランジスタ５のコレクタはＦＥＴ６に接続しており、デジタルトランジスタ５のベースは、抵抗５１を介してチップセット４のＧＰＩＯ４１に接続している。デジタルトランジスタ５のベース・エミッタ間には、バイアス用の抵抗５２を接続しており、デジタルトランジスタ５のエミッタはＧＮＤレベルに接続している。
【００４０】
デジタルトランジスタ５は、例えば、前記「ＶＢＵＳ＿ＯＮ＿Ｎ」信号が“Ｈｉｇｈ（ハイ）”である場合オフとなり、該「ＶＢＵＳ＿ＯＮ＿Ｎ」信号が“Ｌｏｗ（ロー）”である場合オンとなる。
【００４１】
ＦＥＴ６は、例えば、Ｎ‐chＦＥＴであり、電源Ｖから前記ＶＢＵＳ線を介してＵＳＢコネクタ８０（接続ＵＳＢデバイス）への電力供給を開閉するスイッチの役割をなす。
【００４２】
詳しくは、ＦＥＴ６のゲートは抵抗Ｒを介してデジタルトランジスタ５（コレクタ）と接続しており、ドレーンは電源Ｖと接続し、ソースはＶＢＵＳ線を介してＵＳＢコネクタ８０のコネクタピン８１と接続している。すなわち、電源Ｖからの電力はＦＥＴ６、ＶＢＵＳ線及びコネクタピン８１を介して接続ＵＳＢデバイスに供給される。
【００４３】
このようなＦＥＴ６は、チップセット４から出力される「ＶＢＵＳ＿ＯＮ＿Ｎ」信号に応じたデジタルトランジスタ５のオンオフに対応してオンオフするように構成されている。例えば、デジタルトランジスタ５がオンである場合、ＦＥＴ６はオフとなり、コネクタピン８１（接続ＵＳＢデバイス）への電力供給が遮断される。一方、デジタルトランジスタ５がオフである場合、ＦＥＴ６はオンとなり、コネクタピン８１（接続ＵＳＢデバイス）への電力供給が開始される。
【００４４】
本発明の実施の形態に係る複合機１００は、これに限るものでなく、抵抗Ｒ及びデジタルトランジスタ５の間にプルアップ抵抗及びプルアップ電源を接続するように構成しても良い。
【００４５】
ＵＳＢインタフェース４２は、ＣＰＵ１と当該接続ＵＳＢデバイスとの間のデータ送受信を制御する。すなわち、ＵＳＢインタフェース４２はＵＳＢコネクタ８０のコネクタピン８２、８３と接続しており、コネクタピン８２、８３を介して当該接続ＵＳＢデバイスとデータ送受信を行なう。
【００４６】
以下においては、複合機１００において行なわれる、ＣＰＵ１によるＦＥＴ６の制御について詳しく説明する。
【００４７】
図３は本発明の実施の形態に係る複合機１００において、省電力モードに遷移するときに行なわれるＦＥＴ６の制御を説明するフローチャートである。以下においては、説明の便宜上、通常モードから省電力モードに遷移する際における、ＦＥＴ６の制御について説明する。なお、通常モードの場合に、チップセット４（ＧＰＩＯ４１）から出力される「ＶＢＵＳ＿ＯＮ＿Ｎ」信号は“Ｌｏｗ”であるとする。また、ＵＳＢコネクタ８０には所定の接続ＵＳＢデバイスが接続されているものとする。
【００４８】
例えば、ＣＰＵ１は計時部（図示せず）による計時結果に基づいて、ユーザによる操作部６１の操作を所定時間監視することにより、又は操作部６１に設けられた前記節電キーの操作を監視することにより、通常モードから省電力モードに遷移するか否かを判定する（ステップＳ１０１）。
【００４９】
例えば、ユーザによる操作部６１の操作が所定時間の経過前に行われた場合、又は操作部６１の節電キーが操作されていない場合、ＣＰＵ１は省電力モードに遷移しないと判定し（ステップＳ１０１：ＮＯ）、斯かる判定を繰り返して行なう。
【００５０】
一方、所定時間の間、ユーザによる操作部６１の操作が行われていない場合、又は操作部６１の節電キーが操作された場合、ＣＰＵ１は通常モードから省電力モードに遷移すると判定し（ステップＳ１０１：ＹＥＳ）、斯かる旨をチップセット４に通知する（ステップＳ１０２）。
【００５１】
斯かる通知に応じて、チップセット４（ＵＳＢインタフェース４２）は、当該接続ＵＳＢデバイスとの接続をソフト上にて解除する（ステップＳ１０３）。
【００５２】
この際、チップセット４は、ＧＰＩＯ４１を介して“Ｈｉｇｈ”の「ＶＢＵＳ＿ＯＮ＿Ｎ」信号（以下、「ＶＢＵＳ＿ＯＮ＿Ｎ」＝Ｈという。）を出力する（ステップＳ１０４）。
【００５３】
チップセット４から出力された「ＶＢＵＳ＿ＯＮ＿Ｎ」＝Ｈを受信した場合、デジタルトランジスタ５がオンになる（ステップＳ１０５）。
【００５４】
デジタルトランジスタ５がオンになったことに応じて、ＦＥＴ６はオフとなり（ステップＳ１０６）、ＵＳＢコネクタ８０（コネクタピン８１）を介した、電源Ｖから当該接続ＵＳＢデバイスへの電力供給は遮断される（ステップＳ１０７）。
【００５５】
従って、本発明の実施の形態に係る複合機１００においては、複合機１００が省電力モードに遷移した後、ＵＳＢコネクタ８０を介した当該接続ＵＳＢデバイスへの電源供給が遮断されるので、当該接続ＵＳＢデバイスにいわゆる省エネルギー機能が搭載されていない場合であっても、該接続ＵＳＢデバイスによる無駄な電力の消費を未然に防止でき、省エネルギー効果を高めることができる。
【００５６】
図４は本発明の実施の形態に係る複合機１００において、通常モードに復帰するときに行なわれるＦＥＴ６の制御を説明するフローチャートである。以下においては、説明の便宜上、省電力モードから通常モードに復帰する際における、ＦＥＴ６の制御について説明する。なお、省電力モードの間には、上述したように、チップセット４（ＧＰＩＯ４１）からは“Ｈｉｇｈ”の「ＶＢＵＳ＿ＯＮ＿Ｎ」信号が出力される。
【００５７】
例えば、ＣＰＵ１はユーザによる操作部６１のタッチパネルの操作を監視することにより、又は操作部６１に設けられた何れかのハードキーの操作を監視することにより、省電力モードから通常モードに復帰するか否かを判定する（ステップＳ２０１）。
【００５８】
例えば、ユーザによる操作部６１のタッチパネルの操作が行なわれていない場合、又は操作部６１に設けられた何れのハードキーの操作も行なわれていない場合、ＣＰＵ１は通常モードに復帰しないと判定し（ステップＳ２０１：ＮＯ）、斯かる判定を繰り返して行なう。
【００５９】
一方、ユーザによる操作部６１のタッチパネルの操作が行なわれた場合、又は操作部６１に設けられた何れかのハードキーの操作が行なわれた場合、ＣＰＵ１は通常モードに復帰すると判定し（ステップＳ２０１：ＹＥＳ）、斯かる旨をチップセット４に通知する（ステップＳ２０２）。
【００６０】
斯かる通知に応じて、チップセット４は、ＧＰＩＯ４１を介して“Ｌｏｗ”の「ＶＢＵＳ＿ＯＮ＿Ｎ」信号（以下、「ＶＢＵＳ＿ＯＮ＿Ｎ」＝Ｌという。）を出力する（ステップＳ２０３）。
【００６１】
この際、チップセット４から出力された「ＶＢＵＳ＿ＯＮ＿Ｎ」＝Ｌを受信したデジタルトランジスタ５はオンからオフに切り替わる（ステップＳ２０４）。
【００６２】
デジタルトランジスタ５がオンからオフ切り替わったことに応じて、ＦＥＴ６はオフからオンに切り替わり（ステップＳ２０５）、ＵＳＢコネクタ８０（コネクタピン８１）を介した、電源Ｖから当該接続ＵＳＢデバイスへの電力供給は開始される（ステップＳ２０６）。
【００６３】
本発明に係る複合機１００は、以上の記載に限るものでない。例えば、ＦＥＴ６としてＰ‐chＦＥＴを用い、デジタルトランジスタ５を省いた構成であっても良い。
【００６４】
以上の記載においては、請求項におけるコネクタがＵＳＢコネクタである場合を例として説明したが、これに限るものでないことは言うまでもない。接続された他装置に電源供給を行なうような構成であれば、本発明は適用可能である。
【００６５】
更に、以上の記載においては、複合機を例にあげて説明したが、本発明に係る電気機器はこれに限るものでない。例えば、本発明に係る電気機器は、ノート型パーソナルコンピュータ、タブレット型の携帯端末等であっても良い。
【符号の説明】
【００６６】
１０  制御部
１  ＣＰＵ（指示部）
４０  画像出力部（画像形成手段）
６  ＦＥＴ（スイッチ部）
８０  ＵＳＢコネクタ  
１００  複合機
Ｖ  電源
【図１】
2013239025.tif 000003
【図２】
2013239025.tif 000004
【図３】
2013239025.tif 000005
【図４】
2013239025.tif 000006
【手続補正書】
【提出日】平成25年7月24日(2013.7.24)
【手続補正１】
【補正対象書類名】明細書
【補正対象項目名】０００８
【補正方法】変更
【補正の内容】
【０００８】
本発明は、斯かる事情に鑑みてなされたものであり、その目的とするところは、消費電力の制限が行なわれる省電力状態及び該制限のない通常状態の動作状態を有しており、他機器と接続を行なうコネクタを備え、該コネクタを用いて前記他機器とデータを送受信するにおいて、前記コネクタを介して前記他機器に電力供給を行なう電源と、前記コネクタとの間に、前記電力供給を開閉するスイッチ部を備え、前記省電力状態の場合、前記スイッチ部に閉の指示を行なうことにより、電源供給を行なうホスト側の必要に応じて当該他機器への電力供給を開閉できるので、例えば、ホスト側が省電力モードに遷移した後、上述したように無駄な電力消費が生じることを未然に防止できる電気機器及び画像形成装置を提供することにある。
【手続補正２】
【補正対象書類名】明細書
【補正対象項目名】０００９
【補正方法】変更
【補正の内容】
【０００９】
本発明に係る電気機器は、消費電力の制限が行なわれる省電力状態及び該制限のない通常状態の動作状態を有しており、他機器と接続を行なうコネクタを備え、該コネクタを用いて前記他機器とデータを送受信する電気機器において、前記コネクタを介して前記他機器に電力供給を行なう電源と、前記コネクタ及び電源との間に介在しており、前記電力供給を開閉するスイッチ部と、前記省電力状態の場合、前記スイッチ部に閉の指示を行なう指示部とを備えることを特徴とする。
【手続補正３】
【補正対象書類名】明細書
【補正対象項目名】００１０
【補正方法】変更
【補正の内容】
【００１０】
本発明にあっては、前記省電力状態の場合、前記コネクタ及び電源との間に介在する前記スイッチ部に、前記指示部が閉の指示を行ない、前記コネクタを介した前記他機器への電力供給を開閉する。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１７
【補正方法】変更
【補正の内容】
【００１７】
本発明によれば、前記省電力状態の場合、前記スイッチ部に閉の指示が行なわれるので、該他機器が省エネルギー機能を有しているか否かに関わることなく、前記電気機器が省電力モードに遷移した後、前記他機器によって無駄な電力消費が生じることを未然に防止して、省エネルギー効果を高めることができる。
【手続補正７】
【補正対象書類名】特許請求の範囲
【補正対象項目名】全文
【補正方法】変更
【補正の内容】
【特許請求の範囲】
【請求項１】
消費電力の制限が行なわれる省電力状態及び該制限のない通常状態の動作状態を有しており、他機器と接続を行なうコネクタを備え、該コネクタを用いて前記他機器とデータを送受信する電気機器において、
前記コネクタを介して前記他機器に電力供給を行なう電源と、
前記コネクタ及び電源との間に介在しており、前記電力供給を開閉するスイッチ部と、
前記省電力状態の場合、前記スイッチ部に閉の指示を行なう指示部と
を備えることを特徴とする電気機器。
【請求項２】
前記スイッチ部は、電界効果トランジスタを有することを特徴とする請求項１に記載の電気機器。
【請求項３】
請求項１又は２に記載の電気機器と、
前記コネクタを介して他機器から受信したデータに基づいて画像形成を行なう画像形成手段とを備えることを特徴とする画像形成装置。